(57)【要約】【課題】所定の衝撃力が作用する場合であっても電気的に相互に接続される複数の配線基板を確実に保持することができ、しかも、コネクタ部相互間における繰り返しの着脱に関し耐摩耗性に優れたものであること。【解決手段】雄型のコネクタ部２４が、金属製の保持具３０の爪部３０Ｎが雌型のコネクタ部２０の金属製の保持具３２の突起部３２ｍｎに係合されることにより、雌型のコネクタ部２０に保持されるもの。【選択図】　　　　図１
2004055306.tif 000002
【特許請求の範囲】
【請求項１】
第１の基板上に配され該第１の基板の導電層に電気的に接続されるコンタクト端子を有する第１のコネクタ部と、
前記第１の基板に関連して配される第２の基板上に配され前記第１のコネクタ部のコンタクト端子に電気的に接続されるとともに、該第２の基板の導電層に電気的に接続されるコンタクト端子を有する第２のコネクタ部と、を備え、
前記第１のコネクタ部が前記第２のコネクタ部に接続されるとき、前記第１のコネクタ部に設けられる金属製の係合部が、前記第２のコネクタ部に設けられ弾性を有する金属製の被係合部に対し係合されることにより、該第１のコネクタ部が該第２のコネクタ部に対し保持されることを特徴とする基板接続用コネクタ。
【請求項２】
前記第１のコネクタ部の係合部および前記第２のコネクタ部の被係合部は、それぞれ、金属製の保持具の爪部または突起部であることを特徴とする請求項１記載の基板接続用コネクタ。
【請求項３】
前記金属製の保持具の少なくとも一方は、前記第１のコネクタ部または第２のコネクタ部における前記コンタクト端子を支持する基台部とは別体に薄板状に形成されて設けられることを特徴とする請求項２記載の基板接続用コネクタ。
【請求項４】
前記金属製の保持具は、前記第１の基板または前記第２の基板に固定される脚部を有することを特徴とする請求項２記載の基板接続用コネクタ。
【発明の詳細な説明】
【０００１】
【発明の属する技術分野】
本発明は、基板相互間の電気的接続を行なう基板接続用コネクタに関する。
【０００２】
【従来の技術】
携帯電話等の電子機器においては、例えば、比較的狭い空間内に、デジタル回路を形成する複数のプリント配線基板が内蔵されている。複数のプリント配線基板は、例えば、基板接続用コネクタを通じて電気的に相互に接続されている。
【０００３】
基板接続用コネクタは、例えば、図９に示されるように、第１のプリント配線基板２に配される雄型のコネクタ部４と、第１のプリント配線基板２に相対向して配される第２のプリント配線基板８に配される雌型のコネクタ部６とを含んで構成されている。
【０００４】
雄型のコネクタ部４は、樹脂材料で成形された基台部４Ｍと、その基台部４Ｍの長辺側の両端部にそれぞれ、所定の間隔で配列され第１のプリント配線基板２の各電極部に一端が電気的に接続されるコンタクト端子４Ａｉ、および、４Ｂｉ（ｉ＝１〜ｎ，ｎは正の整数）と、を主な要素として構成されている。
【０００５】
また、基台部４Ｍにおけるコンタクト端子４Ａｉ、および、４Ｂｉ相互間の部分には、後述するコネクタ部６の突起片６ａ，６ｂに係合される凹部４ａおよび４ｂが所定の相互間隔で形成されている。
【０００６】
さらに、基台部４Ｍにおける短辺側の両端部には、それぞれ、一対の爪部４Ｎａおよび４Ｎｂが設けられている。一対の爪部４Ｎａおよび４Ｎｂは、それぞれ、基台部４Ｍと一体に樹脂材料で成形されている。一対の爪部４Ｎａおよび４Ｎｂは、それぞれ、雌型のコネクタ部６に組みつけられるとき、その透孔６Ｈａ，６Ｈｂに選択的に係合せしめられる。
【０００７】
雌型のコネクタ部６は、箱状に形成され上述の雄型のコネクタ部４の基台部４Ｍおよびコンタクト端子４Ａｉ、および、４Ｂｉが収容される収容部を有する基台部６Ｍと、その基台部６Ｍの長辺側の両端部にそれぞれ、所定の間隔で配列され第２のプリント配線基板８の各電極部に一端が電気的に接続されるコンタクト端子６Ａｉ、および、６Ｂｉ（ｉ＝１〜ｎ，ｎは正の整数）と、を主な要素として構成されている。
【０００８】
基台部６Ｍの収容部内におけるコンタクト端子６Ａｉ、および、６Ｂｉ相互間の部分には、上述の基台部４Ｍの凹部４ａおよび４ｂがそれぞれ，係合される突起片６ａおよび６ｂが互いに離隔して設けられている。
【０００９】
基台部６Ｍにおける短辺側の両端部には、雄型のコネクタ部４が組み付けられれるとき、それぞれ、一対の爪部４Ｎａおよび４Ｎｂが、それぞれ係合される透孔６Ｈａ、おおび６Ｈｂが形成されている。
【００１０】
このような雄型のコネクタ部４が雌型のコネクタ部６に組み付けられ、第１のプリント配線基板２と第２のプリント配線基板８とが電気的に接続されるとき、図１０、図１１および図１２に示されるように、雄型のコネクタ部４の基台部４Ｍがコンタクト端子４Ａｉ、および、４Ｂｉとコンタクト端子６Ａｉ、および、６Ｂｉとの間の相互の弾性力に抗して基台部６Ｍの収容部内に圧入される。その際、基台部４Ｍの凹部４ａおよび４ｂがそれぞれ，突起片６ａおよび６ｂに係合され、かつ、一対の爪部４Ｎａおよび４Ｎｂがそれぞれ、透孔６Ｈａ、および、透孔６Ｈｂの周縁に係合されることにより、雄型のコネクタ部４が雌型のコネクタ部６に対し保持される。
【００１１】
【発明が解決しようとする課題】
上述のように雄型のコネクタ部４が雌型のコネクタ部６に組み付けられ、プリント配線基板２と第２のプリント配線基板８とが電気的に接続されたものが、携帯電話等の電子機器内に内蔵される場合、落下等による衝撃力が電子機器に作用するとき、雄型のコネクタ部４が雌型のコネクタ部６に対し外れる虞がある。
【００１２】
これは、図１３に拡大して示されるように、雄型のコネクタ部４と雌型のコネクタ部６とが互いに容易に着脱可能とするために爪部４Ｎａおよび４Ｎｂと、透孔６Ｈａ、および、透孔６Ｈｂの周縁とのかみ合い代を比較的大きく設定することが困難であり、また、樹脂材料で基台部４Ｍと一体に成形される一対の爪部４Ｎａおよび４Ｎｂがそれぞれ、衝撃力により容易に変形する場合があるからである。
【００１３】
さらに、爪部４Ｎａおよび４Ｎｂが樹脂材料で成形されているので上述したような着脱が繰り返されるとき、爪部４Ｎａおよび４Ｎｂが磨耗し、雄型のコネクタ部４と雌型のコネクタ部６とが、お互い確実に保持されない虞がある。
【００１４】
以上の問題点を考慮し、本発明は、基板相互間の電気的接続を行なう基板接続用コネクタであって、所定の衝撃力が作用する場合であっても電気的に相互に接続される複数の配線基板を確実に保持することができ、しかも、コネクタ部相互間における繰り返しの着脱に関し耐摩耗性に優れた基板接続用コネクタを提供することを目的とする。
【００１５】
【課題を解決するための手段】
上述の目的を達成するために、本発明に係る基板接続用コネクタは、第１の基板上に配され第１の基板の導電層に電気的に接続されるコンタクト端子を有する第１のコネクタ部と、第１の基板に関連して配される第２の基板上に配され第１のコネクタ部のコンタクト端子に電気的に接続されるとともに、第２の基板の導電層に電気的に接続されるコンタクト端子を有する第２のコネクタ部と、を備え、第１のコネクタ部が第２のコネクタ部に接続されるとき、第１のコネクタ部に設けられる金属製の係合部が、第２のコネクタ部に設けられ弾性を有する金属製の被係合部に対し係合されることにより、第１のコネクタ部が第２のコネクタ部に保持されることを特徴とする。
【００１６】
また、第１のコネクタ部の係合部および第２のコネクタ部の被係合部は、それぞれ、金属製の保持具の爪部または突起部であってもよい。
【００１７】
金属製の保持具の少なくとも一方は、第１のコネクタ部または第２のコネクタ部におけるコンタクト端子を支持する基台部とは別体に薄板状に形成されて設けられてもよい。
【００１８】
さらに、金属製の保持具は、第１の基板または第２の基板に固定される脚部を有するものでもよい。
【００１９】
【発明の実施の形態】
図１は、本発明に係る基板接続用コネクタの一例を、電気的に相互に接続される配線基板とともに示す。
【００２０】
基板接続用コネクタは、例えば、図１に示されるように、第１のプリント配線基板２６に配される雄型のコネクタ部２４と、第１のプリント配線基板２６に相対向して配される第２のプリント配線基板２２に配される雌型のコネクタ部２０とを含んで構成されている。
【００２１】
雄型のコネクタ部２４は、樹脂材料で成形された基台部２４Ｍと、その基台部２４Ｍの長辺側の両端部にそれぞれ、所定の間隔で配列され第１のプリント配線基板２６の各電極部に一端が電気的に接続されるコンタクト端子２８Ａｉ、および、２８Ｂｉ（ｉ＝１〜ｎ，ｎは整数）とを主な要素として構成されている。
【００２２】
また、基台部２４Ｍにおけるコンタクト端子２８Ａｉ、および、２８Ｂｉ相互間の部分には、後述するコネクタ部２０の突起片２０ａ，２０ｂに係合される凹部２４ａおよび２４ｂがそれぞれ、所定の相互間隔で形成されている。
【００２３】
さらに、基台部２４Ｍにおける短辺側の両端部の内部に形成される窪みには、図１に示されるように、それぞれ、爪部３０Ｎを有する保持具３０が圧入されている。保持具３０は、図２（Ａ）に示されるように、例えば、薄板の金属材料で矩形状に作られ、その窪みに圧入される嵌合部３０ｍと、嵌合部３０ｍの両端にそれぞれ連なりプリント配線基板２６に固定される脚部３０ｆとを含んでなる。嵌合部３０ｍには、基台部２４Ｍの切欠きを通じて外部に突出する爪部３０Ｎが形成されている。係合部としての爪部３０Ｎは、後述する雌型のコネクタ部２０に対する組付けのとき、後述する保持具３２における被係合部としての弾性片３２ｍｒに係合される。
【００２４】
コンタクト端子２８Ａｉ、および、２８Ｂｉは、それぞれ、例えば、約０．４ｍｍの相互間隔で配列されている。各コンタクト端子２８Ａｉ、および、２８Ｂｉの他端側は、それぞれ、基台部２４Ｍの側面に沿って延びその上面に到達している。一方、各コンタクト端子２８Ａｉ、および、２８Ｂｉの一端は、それぞれ、プリント配線基板２６の電極部に半田付け固定されている。
【００２５】
雌型のコネクタ部２０は、上述の雄型のコネクタ部２４の基台部２４Ｍおよびコンタクト端子２８Ａｉ、および、２８Ｂｉが収容される収容部２０Ｓを有する基台部２０Ｍと、その基台部２０Ｍの長辺側における両端部にそれぞれ、所定の間隔で配列され第２のプリント配線基板２２の各電極部に一端が電気的に接続されるコンタクト端子３４Ａｉ、および、３４Ｂｉ（ｉ＝１〜ｎ，ｎは正の整数）とを主な要素として構成されている。
【００２６】
樹脂材料で成形される基台部２０Ｍの収容部２０Ｓ内におけるコンタクト端子３４Ａｉ、および、３４Ｂｉ相互間の部分には、上述の基台部２４Ｍの凹部２４ａおよび２４ｂがそれぞれ、係合される突起片２０ａおよび２０ｂが互いに離隔して設けられている。
【００２７】
基台部２０Ｍの収容部２０Ｓにおける短辺側の両端部には、それぞれ、内壁２０ｗａおよび２０ｗｂが形成されている。内壁２０ｗａおよび２０ｗｂは、それぞれ、コンタクト端子３４Ａｉ、および、３４Ｂｉの端部と基台部２０Ｍの外壁との間をその外壁に沿って囲むように形成されている。内壁２０ｗａおよび２０ｗｂとその外壁との間には、溝２０ＳＡ、および２０ＳＢが形成されている。溝２０ＳＡ、および２０ＳＢには、図５に示されるように、それぞれ、各保持具３２が、その突起部３２ｍｎが向かい合うように圧入されている。
【００２８】
薄板の金属材料で作られる保持具３２は、図２（Ｂ）に示されるように、コ字状に形成され、溝２０ＳＡ、または溝２０ＳＢに圧入される嵌合部３２ｍと、嵌合部３２ｍの両端部にそれぞれ屈曲して連なりプリント配線基板２２に固定される脚部３２ｆとを含んで構成されている。
【００２９】
嵌合部３２ｍの中央部には、弾性片３２ｍｒが形成されている。弾性片３２ｍｒの基端は、嵌合部３２ｍに連結され、一方、弾性片３２ｍｒの他端は、その弾性により所定の範囲に自由に湾曲せしめられる。弾性片３２ｍｒにおける内面には、上述の爪部３０Ｎに選択的に係合される被係合部としての突起部３２ｍｎが形成されている。突起部３２ｍｎおよび弾性片３２ｍｒは、それぞれ、内壁２０ｗａおよび２０ｗｂに形成される切欠部を通じて収容部２０Ｓ内に露出している。その際、基台部２０Ｍの外壁における弾性片３２ｍｒに対向する部分には、基板接続用コネクタの抜き差しのとき、弾性片３２ｍｒが進退せしめられる逃げが形成されている。
【００３０】
嵌合部３２ｍにおける弾性片３２ｍｒに隣接する部分には、弾性片３２ｍｒを挟んで突起片３２ｐａ，３０ｐｂが形成されている。
【００３１】
このような雄型のコネクタ部２４が雌型のコネクタ部２０に組み付けられ、第１のプリント配線基板２６と第２のプリント配線基板２２とが基板接続用コネクタを通じて電気的に接続されるとき、図３、図４および図６に示されるように、雄型のコネクタ部２４の基台部２４Ｍが、コンタクト端子２８Ａｉ、および、２８Ｂｉとコンタクト端子３４Ａｉおよび３４Ｂｉとの間の相互の弾性力に抗して基台部２０Ｍの収容部２０Ｓに圧入される。その際、基台部２４Ｍの凹部２４ａおよび２４ｂがそれぞれ，突起片２０ａおよび２０ｂに係合され、かつ、各爪部３０Ｎがそれぞれ、突起部３２ｍｎに対し摺接しながら弾性片３２ｍｒを撓ませた後、弾性片３２ｍｒの突起部３２に係合されることにより、雄型のコネクタ部２４が雌型のコネクタ部２０に対し保持されることとなる。
【００３２】
一方、雄型のコネクタ部２４が雌型のコネクタ部２０に対し分離される場合、係合状態とされる各弾性片３２ｍｒが強制的に外壁の逃げ側に撓まされることにより、弾性片３２ｍｒの突起部３２が各爪部３０Ｎに対し非係合状態とされた後、雄型のコネクタ部２４と雌型のコネクタ部２０とが互いに引き離されることにより、雄型のコネクタ部２４が雌型のコネクタ部２０に対し分離されることとなる。
【００３３】
従って、保持具３２における弾性片３２ｍｒの突起部３２ｍｎ、および、保持具３０の爪部３０Ｎが金属材料で作られているので弾性片３２ｍｒの突起部３２ｍｎおよび爪部３０Ｎが、作用する衝撃力により容易に変形する虞がない。その結果、本発明に係る基板接続用コネクタの一例においては、所定の衝撃力が作用する場合であっても電気的に相互に接続される複数の配線基板を確実に保持することができ、しかも、コネクタ部相互間における繰り返しの着脱に対し耐摩耗性に優れたものとなる。
【００３４】
図７および図８は、本発明に係る基板接続用コネクタの他の一例を示す。
図７および図８に示される例は、図１に示される例では保持具３０が雄型のコネクタ部２４の内部に形成される凹部に圧入されることにより保持具３０が基台部２４Ｍに固定されているが、その代わりに、保持具としての爪部３０’Ｎのみが樹脂製の基台部２４Ｍと一体に鋳込まれることにより、弾性片３２ｍｒの突起部３２ｍｎに係合される爪部３０’Ｎが基台部２４Ｍに固定されるものである。
【００３５】
なお、図７および図８においては、図１および図２に示される例において同一とされる構成要素について同一の符号を付して示し、その重複説明を省略する。
【００３６】
従って、かかる例においても、上述の例と同様な作用効果が得られることとなる。
【００３７】
【発明の効果】
以上の説明から明らかなように、本発明に係る基板接続用コネクタによれば、第１のコネクタが第２のコネクタに接続されるとき、第１のコネクタ部に設けられる金属製の係合部が、第２のコネクタ部に設けられる弾性を有する金属製の被係合部に対し係合されることにより、第１のコネクタ部が第２のコネクタ部に対し保持されるので衝撃力が作用する場合であっても電気的に相互に接続される複数の配線基板を確実に保持することができ、しかも、第１のコネクタ部および第２のコネクタ部相互間における繰り返しの着脱に関し耐摩耗性に優れたものとなる。
【図面の簡単な説明】
【図１】本発明に係る基板接続用コネクタの一例を、分解して配線基板とともに示す分解斜視図である。
【図２】（Ａ）、（Ｂ）は、それぞれ、図１に示される例に用いられる保持具を示す斜視図である。
【図３】図１に示される例における雄型のコネクタと雌型のコネクタとが互いに組みつけられた状態を示す平面図である。
【図４】図３に示される状態における正面図である。
【図５】図３におけるＶ−Ｖ線に沿って示される断面図である。
【図６】図３に示される状態における側面図である。
【図７】本発明に係る基板接続用コネクタの他の一例を示す断面図である。
【図８】図７に示される例における一部を拡大して部分的に示す部分断面図である。
【図９】従来の基板接続用コネクタを分解して示す分解斜視図である。
【図１０】図９に示される例における雄型のコネクタと雌型のコネクタとが互いに組みつけられた状態を示す平面図である。
【図１１】図１０に示される状態における正面図である。
【図１２】図１０に示される状態における側面図である。
【図１３】図１０に示される状態における部分断面図である。
【符号の説明】
２０、２４　　コネクタ部
２２，２６　　プリント配線基板
３０，３２　　保持具
３０Ｎ、３０’Ｎ　　爪部
３２ｍｎ　　突起部
【図１】
2004055306.tif 000003
【図２】
2004055306.tif 000004
【図３】
2004055306.tif 000005
【図４】
2004055306.tif 000006
【図５】
2004055306.tif 000007
【図６】
2004055306.tif 000008
【図７】
2004055306.tif 000009
【図８】
2004055306.tif 000010
【図９】
2004055306.tif 000011
【図１０】
2004055306.tif 000012
【図１１】
2004055306.tif 000013
【図１２】
2004055306.tif 000014
【図１３】
2004055306.tif 000015